(57)【要約】【課題】空気調和機用室外機ユニットの機器コンパクト化と風量アップの両立を図る。【解決手段】断面コの字形の熱交換器の主たる熱交面を、断面長方形状の本体ケーシングの長辺部側開口部に対応させて設置し、同熱交換面を可及的に広く形成することによって熱交換性能を向上させるとともに送風音を低減し、かつ風量アップのために送風ファンの外径を、本体ケーシングの短辺部側寸法から許容される最大の口径にし、さらに周方向に変化する送風ファンの吸込気流に適切に対応できるように、上記送風ファンのベルマウスの空気吸込口側断面の曲率半径を、上記送風ファンの上流側にある断面コの字形の熱交換器の形状に合わせて非軸対称にし、省エネ性能の向上と機器コンパクト化の要求を両立させながら、有効に風量特性の改善を図ることができるようにした。【選択図】        図３
2004156872.tif 000002
【特許請求の範囲】
【請求項１】
水平断面形状が長方形状をなす室外機本体ケーシング（１Ａ）と、該室外機本体ケーシング（１Ａ）の後面側長辺部および左右両面側短辺部の３面に位置して、その底部から上部まで伸びる水平断面形状がコの字形の空気吸込用開口部（１ｂ），（１ａ），（１ｄ）と、該空気吸込用開口部（１ｂ），（１ａ），（１ｄ）に対応して設けられた水平断面形状がコの字形の熱交換器（７）と、上記室外機本体ケーシング（１Ａ）の上部に位置し、下部から上方に向けて、その水平断面形状が長方形状から円形に変化するファンケーシング（１Ｂ）と、該ファンケーシング（１Ｂ）の円形部内側に設けられたベルマウス（６）と、上記ファンケーシング（１Ｂ）内の上記ベルマウス（６）に対応して設けられ、上記水平断面形状がコの字形の空気吸込用開口部（１ｂ），（１ａ），（１ｄ）を介して上記室外機本体ケーシング（１Ａ）の後面側および左右両面側から吸い込んだ空気を上記水平断面形状がコの字形の熱交換器（７）を通して上方に吹き出す送風ファン（４）とを備えてなる空気調和機の室外機ユニットにおいて、上記ベルマウス（６）を有する上記ファンケーシング（１Ｂ）円形部の外径を上記本体ケーシング（１Ａ）の短辺部の幅と略同等の径まで拡大することによって、上記設置される送風ファン（４）の羽根車の外径を可及的に大きくする一方、上記ベルマウス（６）の空気吸込口（６ａ）側断面の曲率半径Ｒを、上記熱交換器（７）側の形状に対応した非軸対称の値に設定したことを特徴とする空気調和機の室外機ユニット。
【請求項２】
水平断面形状がコの字形の熱交換器（７）は、その左右両面側熱交換器部（７ａ），（７ｄ）の何れか一方側が後面側熱交換器部（７ｂ）に対して略９０°のコーナ角（θ１）、他方側が同９０°よりも所定角度以上に大きいコーナ角（θ２）を有して形成されていることを特徴とする請求項１記載の空気調和機の室外機ユニット。
【請求項３】
送風ファン（４）の羽根車は、室外機本体ケーシング（１Ａ）の短辺部幅限界までの最大外径（φ）を有し、熱交換器（７）の上方部までクロスオーバーした状態に設けられていることを特徴とする請求項１又は２記載の空気調和機の室外機ユニット。
【請求項４】
水平断面形状がコの字形の熱交換器（７）と対向対面する室外機本体ケーシング（１Ａ）の前面側長辺部には制御ボックス（８）があり、上記ベルマウス（６）は、その空気吸込口（６ａ）側断面の曲率半径（Ｒ）が、当該制御ボックス（８）の位置にも対応した非軸対称な値に設定されていることを特徴とする請求項１，２又は３記載の空気調和機の室外機ユニット。
【請求項５】
制御ボックス（８）が室外機本体ケーシング（１Ａ）の前面側長辺部の中間点位置よりも左右いずれか一方側に偏位して配置されている場合、制御ボックス（８）がない被偏位部側のベルマウス（６）の空気吸込口（６ａ）側断面の曲率半径（Ｒａｃ）は、その反対側の制御ボックス（８）がある偏位部側ベルマウス（６）の空気吸込口（６ａ）側断面の曲率半径（Ｒｃｄ）よりも大きく形成されていることを特徴とする請求項３記載の空気調和機の室外機ユニット。
【発明の詳細な説明】
【０００１】
【発明の属する技術分野】
本願発明は、送風性能の向上を図った空気調和機の室外機ユニットの構造に関するものである。
【０００２】
【従来の技術】
従来から空気調和機の室外機ユニットとして、例えば上部に送風ファンおよびファンケーシングよりなる送風ユニットがあり、下部に水平断面形状がコの字形の熱交換器と該水平断面形状がコの字形の熱交換器（以下、単に断面コの字形の熱交換器という）と対向する面側の制御ボックス、それらを収納する室外機本体ケーシングよりなる本体ユニットがある所謂上吹き出しタイプの室外機ユニットが存在する。
【０００３】
そして、その場合、上記断面コの字形の熱交換器および制御ボックスを収納する下部側本体ケーシングの水平断面は、例えば長方形状となっている。そして、上記本体ケーシングに対する断面コの字形の熱交換器および送風ファンの配置と上記ファンケーシング内側に形成されたベルマウス部のアール面（断面形状）は、上記送風ファン回転時の風量特性を向上させることを目的として、例えば上記断面コの字形の熱交換器の本体部（主たる熱交換器部）と上記制御ボックス側をそれぞれ上記本体ケーシングの相互に対向する短辺側に配置する一方、上記送風ファンおよびファンケーシングを、上記断面コの字形の熱交換器側よりも上記制御ボックス側の方に偏位させて配置するとともに、上記ファンケーシング内ベルマウス部のアール面の半径を、吸込流が急角度で上昇する上記断面コの字形の熱交換器本体部側で最大半径となるような構造にしていた（例えば、特許文献１参照）。
【０００４】
このような室外機ユニットでは、上記送風ファンが回転すると、上記本体ケーシングの外気導入口からユニット外の空気が導入され、上記断面コの字形の熱交換器で熱交換された後にベルマウス部を通って送風ファンに流れるとき、外部から空気が導入される熱交換器側のベルマウス部のアール面の半径が、外部から空気が導入されない制御ボックス側よりも大きく形成されているので、熱交換器側でファン軸方向に沿って流れる空気に対する抵抗が小さくなり、ベルマウス部の熱交換器側から送風ファンに流入する風量の方が多くなる。また、熱交換器側から制御ボックス側に回り込む空気は、ファン軸方向に沿わずにベルマウス部のアール面に対して斜めに回り込んで流入するようになるため、ベルマウス部のアール面の半径が小さくても空気の流線の曲率半径は大きくなる。このため、ベルマウス部入口のアール面での空気の流線の曲率半径が周方向の位置で変動しにくくなり、全体として空気の流入風量が増加する結果、風量特性を向上させることができる。
【０００５】
【特許文献１】
特開２００２−２２１３４１号公報（第１〜第４頁、図１および図３）
【０００６】
【発明が解決しようとする課題】
ところで、最近では省エネ性能重視の観点から、上記のような空気調和機用室外機についても、その省エネ性能の向上が求められている。また、同時に設置スペース上の制約を小さくし、さらには運搬性を改善するなどの必要から、機器のコンパクト化の要望も高い。
【０００７】
そして、同空気調和機用室外機の場合、上記機器コンパクト化の要求に応えながら、その省エネ性能を向上させるには、限られた本体スペースの範囲で、可能な限り有効に熱交換器の熱交換面積を拡大し、しかも空気吸込口部分から吹出口部分まで空気の偏流を可能な限り有効に防止して、その送風性能および熱交換能力を最大限に増大させることが必要である。
【０００８】
そこで、上記従来例のような断面コの字形の熱交換器を用いた上吹き出し型の室外機ユニットにおいて、同省エネ性能の向上と機器コンパクト化の要求との両立を狙って、例えば上記断面コの字形の熱交換器の本体部（主たる熱交換器部）を十分に大きな熱交面積を確保することができる上記長方形状の本体ケーシングの長辺部側に配置することによって、熱交換性能を向上させるとともに圧損を小さくして送風音を低減し、かつ風量アップのために上記送風ファンの羽根車外径を最大限、例えば上記長方形状の本体ケーシングの短辺部幅寸法の約８５％以上となるような大口径のものにすることが考えられる。
【０００９】
しかし、そのようにした場合には、ファン羽根車の外径とファンケーシングとの寸法上の制約から、上記のような半径差の大きいベルマウス６のアール面構造は採用することができない。すなわち、上記のようにベルマウス部のアール面の半径を軸対称から非軸対称に変更することによって、風量特性の向上を図るということはできなくなる。
【００１０】
これに対し、本願発明は、上記のように、断面コの字形の熱交換器の主たる熱交面を、上記のような長方形状の本体ケーシングの長辺部側開口部に対応させて設置し、同熱交換面を可及的に広く形成することによって熱交換性能を向上させるとともに送風音を低減し、かつ風量アップのために上記送風ファンの外径を、上記本体ケーシング短辺部側寸法から許容される最大の口径にしたような場合においても、周方向に変化する送風ファンの吸込気流に適切に対応できるように、上記ベルマウスの空気吸込口側断面の曲率半径を、上記送風ファンの上流側にある断面コ字形の熱交換器の形状に合わせて非軸対称にし、省エネ性能の向上と機器コンパクト化の要求を両立させながら、有効に風量特性の向上を図ることができるようにした空気調和機の室外機ユニットを提供することを目的とするものである。
【００１１】
【課題を解決するための手段】
本願発明は、上記の目的を達成するために、次のような課題解決手段を備えて構成されている。
【００１２】
（１）  第１の課題解決手段（請求項１の発明）
この発明の第１の課題解決手段に係る空気調和機の室外機ユニットは、水平断面形状が長方形状をなす室外機本体ケーシング１Ａと、該室外機本体ケーシング１Ａの後面側長辺部および左右両面側短辺部の３面に位置して、その底部から上部まで伸びる水平断面形状がコの字形の空気吸込用開口部１ｂ，１ａ，１ｄと、該空気吸込用開口部１ｂ，１ａ，１ｄに対応して設けられた水平断面形状がコの字形の熱交換器７と、上記室外機本体ケーシング１Ａの上部に位置し、下部から上方に向けて、その水平断面形状が長方形状から円形に変化するファンケーシング１Ｂと、該ファンケーシング１Ｂの円形部内側に設けられたベルマウス６と、上記ファンケーシング１Ｂ内の上記ベルマウス６に対応して設けられ、上記水平断面形状がコの字形の空気吸込用開口部１ｂ，１ａ，１ｄを介して上記室外機本体ケーシング１Ａの後面側および左右両面側から吸い込んだ空気を上記水平断面形状がコの字形の熱交換器７を通して上方に吹き出す送風ファン４とを備えてなる空気調和機の室外機ユニットにおいて、上記ベルマウス６を有する上記ファンケーシング１Ｂ円形部の外径を上記本体ケーシング１Ａの短辺部の幅と略同等の径まで拡大することによって、上記設置される送風ファン４の羽根車の外径を可及的に大きくする一方、上記ベルマウス６の空気吸込口６ａ側断面の曲率半径Ｒを、上記熱交換器７側の形状に対応した非軸対称の値に設定したことを特徴としている。
【００１３】
したがって、このような構成では、上述のように、断面コの字形の熱交換器７の主たる熱交面を、上記のような水平断面形状が長方形状の本体ケーシング１Ａの長辺部側開口部１ｂに対応させて設置し、同熱交換面を可及的に広く形成することによって、熱交換性能を向上させるとともに送風音を低減し、かつ風量アップのために上記送風ファン４の外径φを、上記本体ケーシング１Ａの短辺部側寸法Ｌａから許容される最大の口径まで拡大したような場合において、周方向（回転方向）に変化する送風ファン４の吸込気流に適切に対応できるように、上記ベルマウス６の空気吸込口６ａ側断面の曲率半径Ｒを、上記送風ファン４の上流側にある断面コの字形の熱交換器７の形状に合わせて非軸対称にするようにしているので、ファン羽根車の外径とファンケーシングの寸法の制約を受けることなく、省エネ性能の向上と機器コンパクト化の要求を両立させながら、有効に風量特性の向上を図ることができるようになる。
【００１４】
（２）  第２の課題解決手段（請求項２の発明）
この発明の第２の課題解決手段に係る空気調和機の室外機ユニットは、上記第１の課題解決手段の構成を前提とし、その水平断面形状がコの字形の熱交換器７は、その左右両面側熱交換器部７ａ，７ｄの何れか一方側が後面側熱交換器部７ｂに対して略９０°のコーナ角θ１、他方側が同９０°よりも所定角度以上に大きいコーナ角θ２を有して形成されていることを特徴としている。
【００１５】
このような構成によると、当該室外機ユニットの設置に際し、コーナ角θの大きい左右両面側何れか一方側の熱交換器部（７ａ又は７ｄ）側を壁面に接した状態で据え付けたり、室外機ユニットを２台並べて設置したような時にも、壁面又は隣接室外機ユニットとの間に十分な空気吸込空間を確保することができるようになり、左右両面側熱交換器部の何れの側でも、有効に空気を通すことができる。
【００１６】
（３）  第３の課題解決手段（請求項３の発明）
この発明の第３の課題解決手段に係る空気調和機の室外機ユニットは、上記第１又は第２の課題解決手段の構成を前提とし、その送風ファン４の羽根車は、室外機本体ケーシング１Ａの短辺部幅限界までの最大外径φを有し、熱交換器７の上方部までクロスオーバーした状態で設けられていることを特徴としている。
【００１７】
このように構成すると、室外機ユニット本体の大きさを可及的にコンパクト化した上で、その送風量を最大限にアップさせることができる。
【００１８】
（４）  第４の課題解決手段（請求項４の発明）
この発明の第４の課題解決手段に係る空気調和機の室外機ユニットは、上記第１，第２又は第３の課題解決手段の構成を前提とし、その水平断面形状がコの字形の熱交換器７と対向対面する室外機本体ケーシング１Ａの前面側長辺部には制御ボックス８があり、上記ベルマウス６は、その空気吸込口６ａ側断面の曲率半径Ｒが、当該制御ボックス８の位置にも対応した非軸対称な値に設定されていることを特徴としている。
【００１９】
水平断面形状がコの字形の熱交換器７が存在しない対向面側を流れる空気流の曲率は、もちろん緩やかではあるが、制御ボックスのような障害物があると、当然ながら、その位置に応じて部分的に圧損を生じ、偏流が発生する。
【００２０】
したがって、真にベルマウス周方向の空気吸込流量を均一化しようとすると、それらの事情も考慮しなければならない。
【００２１】
そこで、上記のようにベルマウス６の空気吸込口６ａ側断面の曲率Ｒを決定するには、上記制御ボックス８の位置をも考慮して行うようにする。
【００２２】
（５）  第５の課題解決手段（請求項５の発明）
この発明の第５の課題解決手段に係る空気調和機の室外機ユニットは、上記第４の課題解決手段の構成を前提とし、その制御ボックス８が室外機本体ケーシング１Ａの前面側長辺部の中間点位置よりも左右いずれか一方側に偏位して配置されている場合、制御ボックス８がない被偏位部側のベルマウス６の空気吸込口６ａ側断面の曲率半径Ｒａｃは、その反対側の制御ボックス８がある偏位部側ベルマウス６の空気吸込口６ａ側断面の曲率半径Ｒｃｄよりも大きく形成されていることを特徴としている。
【００２３】
上記のように水平断面形状がコの字形の熱交換器の対面側長辺部に制御ボックス８を設けた室外機ユニットの構成において、同制御ボックス８の位置を、例えば左右両方向の何れか一方側コーナー部に寄せるようにすると、同偏位によって制御ボックス８がなくなった領域部分の通風抵抗がなくなって、その吸気性能を向上させることができる。
【００２４】
他方、そのようにすると、上記偏位によって制御ボックス８が設けられた領域部分の空気の流通性が悪くなる。
【００２５】
そこで、それに対応して、これを改善するために、制御ボックス８がなくなった被偏位領域の曲率半径Ｒを少し大きくする一方、制御ボックスが存在するようになった偏位領域の曲率半径を少し小さくして、上記制御ボックス８の設置位置の変更に伴う送風性能の低下を効果的に防止する。
【００２６】
【発明の効果】
以上の結果、本願発明の空気調和機の室外機ユニットによると、機器本体のコンパクト化を図りながら、室外機の送風性能を可及的に向上させることができ、同一送風量の下での送風音を可及的有効に低減することが可能になる。また、同時にファン入力も低減することが可能となる。
【００２７】
【発明の実施の形態】
（実施の形態１）
図１〜図３は、本願発明の実施の形態１に係る空気調和機の室外機ユニットの構成を示している。
【００２８】
先ず図１および図２はその基本的な構成を示しており、図中符号１は、当該室外機ユニットである。この室外機ユニット１は、熱交換器７および各種機器が設置される下部側本体ケーシング１Ａと送風ファン４が設置される上部側ファンケーシング１Ｂとからなっている。そして、構造上、その中心となる下部側本体ケーシング１Ａは、例えば図２の平面表示状態において、左側から右側方向に見ることにより、その紙面の上側を左側、下側を右側、また同紙面の左側を前側、右側を後側と仮定すると、その水平断面形状は全体として左右方向に所定寸法長く、前後方向に所定寸法短かい長方形状をなし、上下方向に所定の高さを有する直方体形状（有底角筒状）のものとなっている。
【００２９】
すなわち、この本体ケーシング１Ａは、その平面状態において、上記前後方向の寸法をＬａ、左右方向の寸法をＬｂとすると、それら各寸法Ｌａ，Ｌｂの関係が、Ｌａ＜Ｌｂとなっている。そして、この下部ケーシング１Ａには必要な個所に必要な加工が施されて、例えば後面側の略全体には第１の空気吸込用開口部１ｂが、また左右両面側の後面寄り略２／３部分には第２，第３の空気吸込用開口部１ａ，１ｄが、さらに前面側にはメンテナンス用開口部１ｃがそれぞれ設けられている。上記第１，第２，第３の空気吸込用開口部１ｂ，１ａ，１ｄは、それら全体として水平断面形状がコの字形（以下、単に断面コの字形という）をなすものとなっている。
【００３０】
そして、同全体として断面コの字形をなす後面側第１の空気吸込用開口部１ｂおよび左右両面側第２，第３の空気吸込用開口部１ａ，１ｄには、例えば図示のように、上記本体ケーシング１Ａ内において、その底板部１ｆ上から上方側ファンケーシング１Ｂとの境界線２部分まで延びて設置された水平断面形状がコの字形（以下、単に断面コの字形という）の熱交換器７の主たる熱交換器部である後面側第１，従たる熱交換器部である左右両面側第２，第３の各熱交換器部７ｂ，７ａ，７ｄの熱交換面が臨まされている。この熱交換器７は、上記各熱交換器部７ｂ，７ａ，７ｄが相互に一体の例えばプレートフィン型の空気熱交換器により構成されており、上記左側面側第２の空気吸込用開口部１ａに対応する左側面側第２の熱交換器部７ａと後面側第１の空気吸込用開口部１ｂに対応する後面側第１の熱交換器部７ｂとは上記本体ケーシング１Ａのコーナ角（９０°）に対応したコーナ角θ１＝略９０°の角度で曲成されているが、他方第３の空気吸込用開口部１ｄに対応する第３の熱交換器部７ｄは同前面側第１の熱交換器部７ｂに対してコーナ角θ２＝１００°〜１１０°の大きな角度で外側に広げて曲成されている。これにより、当該室外機ユニット１の右側面側を壁面側に接して据え付けたり、２台接して設置したりしたような時にも相互の間に有効な空気吸込スペースＳＰを取ることができるようにしている。一方、上記メンテナンス用開口部１ｃには、開閉扉が設けられている。
【００３１】
また、上記本体ケーシング１Ａ内の上記底板部１ｆの前面部側上方には、例えば図示のように、圧縮機等が設置される機器室およびサービススペース３Ａが設けられており、同機器室およびサービススペース３Ａの風が通りやすく冷却効果の高い上方部位置には、その前面側左右方向中央部に位置して所定幅左右方向に延びる所定奥行幅の制御ボックス８が、上記メンテナンス用開口部１ｃを介して前方側外部から点検操作しやすいようにスペースファクター良く設置されている。
【００３２】
そして、以上のようにして後面側（長辺部側）、左右両面側（短辺部側）の３方面に亘って同じく長辺部、短辺部を有する断面コの字形の熱交換器７が設けられ、同断面コの字形の熱交換器７（長辺部７ｂ，短辺部７ａ，短辺部７ｄ）および各種機器が設けられた上記本体ケーシング１Ａの上部には、例えば図２のような状態で、上部側ファンケーシング１Ｂが、例えば嵌合等の方法により一体に設けられており、同ファンケーシング１Ｂ内のファン設置部３Ｂには、所定のファン支持手段を介してプロペラファン等の軸流型の送風ファン４が上下方向に延びて設置されている。なお、図中の符号４ａは当該送風ファン４のハブ、４ｂは羽根、５ａはファンモータ、５ａは同ファンモータの回転駆動軸を示している。
【００３３】
この実施の形態の場合、上記のように、熱交換器７および各種機器が設置される断面長方形状の本体ケーシング１Ａ部分と送風ファン４が設置される上記ファンケーシング１Ｂ部分とは、略ファンモータ５部分を基準として下方と上方に区分されており、上記ファンケーシング１Ｂは下部から上方に向けて、その水平断面形状が長方形状から円形に変化するものとなっている。そして、その上部側円筒部内にファン設置部３Ｂを形成している。また同ファンケーシング１Ｂの円筒部上部の内側にはベルマウス６が設けられている。そして、上記送風ファン４は、その羽根車部分を、同ベルマウス６に対応させた状態で設けられている。
【００３４】
そして、その場合、上記ベルマウス６を有する上記ファンケーシング１Ｂ円筒部の外径は、上記本体ケーシング１Ａの短辺部の幅Ｌａと同等の径まで拡大することによって、上記設置される送風ファン４の羽根車の外径φを可及的に大きくすることにより、上記送風ファン４の羽根車が、上記断面コの字形の熱交換器７の上端面よりも上方に位置し、例えば図２に示すように、上記断面コの字形の熱交換器７の上端部まで上下方向に重なったクロスオーバー状態で設置されている。そして、それによって、可及的に大きな径の羽根車を採用できるようにして十分に送風性能のアップを実現しながらも、なお有効に室外機ユニット１本体の小型、コンパクト化が図られるようにしている。
【００３５】
そして、その場合において、上記ベルマウス６は、その空気吹出口６ｂ側断面の曲率半径Ｒは、羽根車回転方向（ベルマウス周方向）の全周に亘って一定であるが、他方空気吸込口６ａ側断面の曲率半径Ｒは当該ベルマウス６部分への空気の進入角の相違に応じて、異なった曲率半径のものに形成されている。
【００３６】
すなわち、同部分の曲率半径Ｒは、例えば図３に示すように、上記ベルマウス６を下部側本体ケーシング１Ａの前後方向および左右方向両方向の各中間部で各々各辺を２等分することによって対角方向の４つの領域に区分する。そして、これら各辺を２等分した４つの中間点部分の内、短辺部である第２の熱交換器７ａ側（左側面側）中間点の曲率半径Ｒａを全体の内の最大曲率半径（ｍａｘ）に形成するとともに、長辺部である後面側第１の熱交換器部（最も熱交面積の広い主たる熱交換器部）７ｂの中間点の曲率半径Ｒｂおよび同じく長辺部である前面側制御ボックス８のある中間点の曲率半径Ｒｃをそれぞれ全体の内の最小の曲率半径（ｍｉｎ）に形成し、さらに短辺部である第３の熱交換器部７ｄ側（右側面側）中間点の曲率半径Ｒｄをそれら最大（ｍａｘ）と最小（ｍｉｎ）の中間の値の曲率半径（ｍｉｄ）に形成し、それらの間の上記４つの領域の曲率半径Ｒａｂ（ＲａとＲｂ間）、Ｒａｃ（ＲａとＲｃ間）、Ｒｂｄ（ＲｂとＲｄ間）、Ｒｃｄ（ＲｃとＲｄ間）は、それぞれ曲率半径の大きい上記最大半径Ｒａ（ｍａｘ）、中間半径Ｒｄ（ｍｉｄ）の各中間点側から上記最小半径Ｒｂ（ｍｉｎ）、Ｒｃ（ｍｉｎ）の各中間点側にかけて、次第に小さくなる全体として滑らかな曲率半径に形成されている。
【００３７】
したがって、このようにした場合には、上記ファン羽根車の外径とファンケーシングとの寸法上の制約を受けることなく、上記ベルマウス部の空気吸込口側アール面の曲率半径を軸対称から非軸対称に変更することができ、風量特性の向上を図ることができる。
【００３８】
しかも、その場合において、上記断面コの字形の熱交換器７（７ｂ，７ａ，７ｄ）側の曲率半径変化領域ＲａｂとＲｂｄの曲率半径の平均値Ｒ１と反対側（制御ボックス８側）の曲率半径変化領域ＲａｃとＲｃｄの曲率半径の平均値Ｒ２とは、Ｒ１＞Ｒ２の関係となるように形成されている。つまり、断面コの字形の熱交換器７側の曲率半径Ｒの縮小変化率が、同形状の熱交換器７のない非空気吸込口領域の曲率半径の縮小変化率よりも小さくなるように構成されている。
【００３９】
これにより、上記送風ファン４の羽根車が１回転する間のベルマウス６の空気吹出口６ｂ部分への空気供給量が全周に亘って可及的に均一化され、風量特性、送風性能が向上し、同一送風量の下で、送風音が有効に低減され、かつ送風ファン４への入力も小さくて済むようになる。
【００４０】
（実施の形態２）
次に、図４は、本願発明の実施の形態２に係る空気調和機の室外機ユニットの構成を示している。
【００４１】
この実施の形態の空気調和機の室外機ユニットは、上記図１および図２に示した実施の形態１の室外機ユニットの構成において、上述の制御ボックス８の位置を、例えば図２に示すように、断面コの字形の熱交換器７のコーナ角（曲成角）θ２が大きい第３の熱交換器部７ｄ面側、つまり右側面側コーナー部に寄せることによって、前部側機器室およびメンテナンススペース３Ａ側領域の吸気性能を向上させるようにしている。
【００４２】
他方、そのようにすると、上述した４つの領域Ｒａｂ、Ｒｂｄ、Ｒａｃ、Ｒｃｄの内のＲｃｄ領域の空気の流通性が悪くなる。
【００４３】
そこで、それに対応し、かつ後者の問題をも改善するために、上記Ｒａｃ領域の曲率半径Ｒを少し大きくする一方、同Ｒｃｄ領域の曲率半径Ｒを少し小さくして（Ｒａｃ＞Ｒｃｄ）、上記制御ボックス８の設置位置の変更に伴う送風性能の低下を防止するようにしている。
【００４４】
その他の部分の構成および作用は、全て上記実施の形態１のものと同様であり、同様の作用効果を奏する。
【図面の簡単な説明】
【図１】本願発明の実施の形態１に係る空気調和機の室外機ユニットの上下方向全体の構成を示す断面図である。
【図２】同室外機ユニットの平面方向の構成を示す平面図である。
【図３】同室外機ユニットの要部の構成を示す平面図である。
【図４】本願発明の実施の形態２に係る空気調和機の室外機ユニットの図３と同様の要部の構成を示す平面図である。
【符号の説明】
１は室外機ユニット、１Ａは本体ケーシング、１Ｂはファンケーシング、１ａは左側面側空気吸込用開口部、１ｂは後面側空気吸込用開口部、１ｄは右側面側空気吸込用開口部、４は送風ファン、６はベルマウス、６ａは空気吸込口、７は断面コの字形の熱交換器、７ａは左側面側熱交換器部、７ｂは後面側熱交換器部、７ｄは右側面側熱交換器部である。
【図１】
2004156872.tif 000003
【図２】
2004156872.tif 000004
【図３】
2004156872.tif 000005
【図４】
2004156872.tif 000006